(57)【要約】【課題】圧縮データファイル毎にユーザ所望の付加情報を表示させることが可能な情報再生装置を得ること。【解決手段】圧縮データと、圧縮データに付加される付加情報の位置が付加情報の種類によって異なる付加情報とを有する圧縮データファイルを読込んで、付加情報を表示するとともに圧縮データの再生処理を行うＭＰ３ファイル再生装置１０において、付加情報の種類毎に表示の優先度を設定する切替部１５と、切替部１５に設定された表示の優先度に基づいて、付加情報の検索、取得を行なう検索部１１および取得部１２と、を備える。【選択図】        図４
2005346747.tif 000002
【特許請求の範囲】
【請求項１】
圧縮データと、該圧縮データに付加される複数の付加情報とを有する圧縮データファイルを読込んで、前記付加情報を表示するとともに前記圧縮データの再生処理を行う情報再生装置において、
前記複数の付加情報毎に表示の優先度を設定する設定部と、
前記設定部により設定された表示の優先度に基づいて、前記付加情報の検索および取得を行なう読込み部と、
を備えることを特徴とする情報再生装置。
【請求項２】
表示させる前記付加情報を指定する指定情報が入力される入力部を備え、
前記設定部は、前記入力部に入力された指定情報に基づいて、前記表示の優先度を設定することを特徴とする請求項１に記載の情報再生装置。
【請求項３】
圧縮データと、該圧縮データに付加される複数の付加情報とを有する圧縮データファイルを読込んで、前記付加情報を表示するとともに前記圧縮データの再生処理を行う情報再生装置において、
表示させる前記付加情報を指定する指定情報が入力される入力部と、
指定情報が指定する前記付加情報のみの検索および取得を行う読込み部と、
を備えることを特徴とする情報再生装置。
【請求項４】
前記圧縮データファイル毎に表示させた付加情報の種類の履歴に関する情報を履歴情報として記憶する履歴記憶部を備え、
前記設定部は、前記履歴記憶部に記憶された履歴情報に基づいて、前記表示の優先度を設定することを特徴とする請求項１に記載の情報再生装置。
【請求項５】
前記圧縮データに付加される付加情報の位置は、前記圧縮データの先頭または前記圧縮データの末尾であることを特徴とする請求項１〜４のいずれか１つに記載の情報再生装置。
【請求項６】
前記圧縮データファイルは、音楽情報をＭＰ３方式で圧縮した音楽データであることを特徴とする請求項１〜５のいずれか１つに記載の情報再生装置。
【請求項７】
前記圧縮データの先頭に付加される付加情報はＩＤ３ＴＡＧＶｅｒ１であり、前記圧縮データの末尾に付加される付加情報はＩＤ３ＴＡＧＶｅｒ２であることを特徴とする請求項１〜６のいずれか１つに記載の情報再生装置。
【請求項８】
圧縮データと、該圧縮データに付加される複数の付加情報とを有する圧縮データファイルの前記付加情報を表示する情報表示方法において、
前記複数の付加情報毎に表示の優先度を設定する設定ステップと、
前記設定ステップにおいて設定された優先度に基づいて、前記付加情報の検索および取得を行なう情報読込みステップと、
前記圧縮データの再生処理を行う再生ステップと、
を含むことを特徴とする情報表示方法。
【請求項９】
圧縮データと、該圧縮データに付加される複数の付加情報とを有する圧縮データファイルの前記付加情報を表示する情報表示方法において、
表示させる前記付加情報を指定する指定情報が入力される入力ステップと、
前記入力ステップにおいて入力された指定情報が指定する前記付加情報のみの検索および取得を行う読込みステップと、
前記圧縮データの再生処理を行う再生ステップと、
を含むことを特徴とする情報表示方法。
【請求項１０】
請求項８または９に記載された方法をコンピュータに実行させるためのプログラム。
【発明の詳細な説明】
【技術分野】
【０００１】
本発明は、圧縮データを再生するとともに、圧縮データの内容を示す付加情報を表示する情報再生装置に関するものである。
【背景技術】
【０００２】
近年、曲や音楽などのオーディオデータや映画などの映像データなどを圧縮するデータ圧縮技術の技術的進歩によって、これらのオーディオデータや映像データなどがデジタルデータとして扱われるようになっている。圧縮されたデジタルデータは、ＣＤ（Compact Disc）やＤＶＤ（Digital Versatile DiscまたはDigital Video Disc）などの光記録媒体や、ＭＤ（Mini Disc）などの光磁気記録媒体、またはハードディスクなどの磁気記録媒体などの記録媒体に記録され、これらの記録媒体を再生することが可能な再生装置によってデジタルデータが復号化され、所定の形式のデータが再生される。
【０００３】
たとえば、オーディオデータのデータ圧縮技術として、曲や音楽などの音楽データを音質劣化を抑えながら圧縮することが可能なＭＰ３（MPEG1 Audio Layer 3）方式が普及している。このＭＰ３方式で圧縮された音楽データはＭＰ３ファイルとしてたとえばＣＤに記録され、再生装置によって再生される。しかし、ＣＤに記録されるＭＰ３ファイルの数が多くなると、それぞれのＭＰ３ファイルがどのような内容を有しているのかをファイル名だけからでは判別しづらくなる。そこで、ＭＰ３ファイルにはＩＤ３Ｔａｇと呼ばれるＭＰ３ファイルに関係する文字情報を格納する領域が確保されており、このＩＤ３Ｔａｇを利用してその音楽データのタイトルやアーティスト名などの情報を、ＭＰ３ファイルに保存することができるようになっている。
【０００４】
ここで、ＭＰ３ファイルの再生を行うＭＰ３ファイル再生装置によるＩＤ３Ｔａｇの読込処理について説明する。図１は、従来のＭＰ３ファイル再生装置によるＩＤ３Ｔａｇの読込みの処理手順を示すフローチャートである。ＭＰ３ファイル再生装置のユーザによってＭＰ３ファイルの再生指示があると（ステップＳ１００）、ＭＰ３ファイル再生装置はＩＤ３Ｔａｇの取得モードがＯＮであるか（ＩＤ３Ｔａｇ情報の読み込みが設定されているか）否かを確認する（ステップＳ１１０）。
【０００５】
ＭＰ３ファイル再生装置がＩＤ３Ｔａｇの取得モードがＯＮであると判断すると（ステップＳ１１０、Ｙｅｓ）、記録媒体内のアクセス先となる指定されたＭＰ３ファイルのアドレスをサーチするとともにＩＤ３Ｔａｇのアドレスをサーチ（ＩＤ３ＴａｇＶｅｒ１の検索）する（ステップＳ１２０）。そして、ＭＰ３ファイル再生装置は、ＭＰ３ファイルにＩＤ３ＴａｇＶｅｒ１が含まれているか否かを確認する（ステップＳ１３０）。
【０００６】
ＭＰ３ファイル再生装置がＭＰ３ファイルにＩＤ３ＴａｇＶｅｒ１が含まれていると判断すると（ＩＤ３ＴａｇＶｅｒ１をサーチできると）、このＩＤ３ＴａｇＶｅｒ１を取得し（ステップＳ１４０）、ＩＤ３ＴａｇＶｅｒ１のデータ領域に記録された文字データを取得し、その内容をＭＰ３ファイル再生装置の有する表示部に表示する。その後、ユーザによって指定されたＭＰ３ファイルの先頭のアドレスを再びサーチし、音楽データの再生（演奏）を開始する（ステップＳ１５０）。
【０００７】
一方、ステップＳ１１０においてＩＤ３Ｔａｇの取得モードがＯＮでないと判断された場合やステップＳ１３０においてＩＤ３ＴａｇＶｅｒ１が含まれていないと判断された場合、ＩＤ３ＴａｇＶｅｒ１の取得処理や表示処理を行なうことなく、ユーザによって指定されたＭＰ３ファイルの先頭のアドレスをサーチし、音楽データの再生を開始する（ステップＳ１５０）。
【０００８】
このように、ＭＰ３ファイルの再生（演奏）の開始前に、ＩＤ３Ｔａｇの読込みの有無を予め指定する読込指定手段を設け、読込指定手段によってＩＤ３Ｔａｇの読込みが指定されない場合にはＩＤ３Ｔａｇを読込まずに直ちにＭＰ３ファイルの再生を実行し、ＩＤ３Ｔａｇの読込みが指定された場合にはＩＤ３Ｔａｇの読込みを行った後に再生を実行するオーディオ再生装置が提案されている（たとえば、特許文献１参照）。
【０００９】
ところで現在、多くのＭＰ３ファイルの再生装置に対応しているＩＤ３ＴａｇのフォーマットとしてＩＤ３ＴａｇＶｅｒ１とＩＤ３ＴａｇＶｅｒ２がある（たとえば、特許文献２参照）。図２は、ＭＰ３ファイルの構成を模式的に示す図である。この図に示されるように、ＭＰ３ファイル１ａ〜１ｄは、曲や音楽についての情報が圧縮された音楽データ２を含んで構成されている。ＩＤ３ＴａｇＶｅｒ２は、音楽データ２の先頭に付加される付加情報であり、ＩＤ３ＴａｇＶｅｒ１は、音楽データ２の末尾に付加される付加情報である。
【００１０】
ＭＰ３ファイルとしては、ＩＤ３ＴａｇＶｅｒ１やＩＤ３ＴａｇＶｅｒ２が付加されていない音楽データ２で構成されるＭＰ３ファイル１ａ、ＩＤ３ＴａｇＶｅｒ１のみが音楽データ２に付加されて構成されるＭＰ３ファイル１ｂ、ＩＤ３ＴａｇＶｅｒ２のみが音楽データ２に付加されて構成されるＭＰ３ファイル１ｃ、ＩＤ３ＴａｇＶｅｒ１とＶｅｒ２が音楽データ２に付加されて構成されるＭＰ３ファイル１ｄがある。ＣＤなどの記録媒体には、通常、このように構成された複数のＭＰ３ファイルが連続して格納されている。
【００１１】
従来の再生装置は、再生装置毎に予めＩＤ３ＴａｇＶｅｒ１とＩＤ３ＴａｇＶｅｒ２のどちらを表示させるかが設定されており、この設定に基づいてＩＤ３ＴａｇＶｅｒ１とＩＤ３ＴａｇＶｅｒ２のいずれかの情報を表示していた。図３は、従来のＭＰ３ファイル再生装置によるＩＤ３Ｔａｇの読込みの処理手順を示すフローチャートである。ＭＰ３ファイル再生装置のユーザによってＭＰ３ファイルの再生指示があると（ステップＳ２００）、ＭＰ３ファイル再生装置はＩＤ３Ｔａｇの取得モードがＯＮであるか否かを確認する（ステップＳ２１０）。
【００１２】
ＭＰ３ファイル再生装置がＩＤ３Ｔａｇの取得モードがＯＮであると判断すると（ステップＳ２１０、Ｙｅｓ）、記録媒体内のアクセス先となる指定されたＭＰ３ファイルのアドレスをサーチするとともに、ＭＰ３ファイル再生装置毎に予め設定されているＩＤ３Ｔａｇ（ここでは例えばＩＤ３ＴａｇＶｅｒ２とする）のアドレスをサーチする（ステップＳ２２０）。ＭＰ３ファイル再生装置は、予め設定されている種類のＩＤ３Ｔａｇ（ＩＤ３ＴａｇＶｅｒ２）がＭＰ３ファイルに含まれているか否かを確認する（ステップＳ２３０）。
【００１３】
ＭＰ３ファイル再生装置がＭＰ３ファイルにＩＤ３ＴａｇＶｅｒ２が含まれていると判断すると（ステップＳ２３０、Ｙｅｓ）、このＩＤ３ＴａｇＶｅｒ２を取得し（ステップＳ２４０）、ＩＤ３ＴａｇＶｅｒ２のデータ領域に記録された文字データを取得し、その内容をＭＰ３ファイル再生装置の有する表示部に表示する。
【００１４】
一方、ＭＰ３ファイル再生装置がＭＰ３ファイルにＩＤ３ＴａｇＶｅｒ２が含まれていないと判断すると（ステップＳ２３０、Ｎｏ）、ＭＰ３ファイル再生装置毎に予め設定されているＩＤ３Ｔａｇとは別のＩＤ３Ｔａｇ（ここではＩＤ３ＴａｇＶｅｒ１）のアドレスをサーチする（ステップＳ２５０）。
【００１５】
ＭＰ３ファイル再生装置は、予め設定されている種類とは別の種類のＩＤ３Ｔａｇ（ＩＤ３ＴａｇＶｅｒ１）がＭＰ３ファイルに含まれているか否かを確認する（ステップＳ２６０）。ＭＰ３ファイル再生装置がＭＰ３ファイルにＩＤ３ＴａｇＶｅｒ１が含まれていると判断すると（ステップＳ２６０、Ｙｅｓ）、このＩＤ３ＴａｇＶｅｒ１を取得し（ステップＳ２７０）、ＩＤ３ＴａｇＶｅｒ２のデータ領域に記録された文字データを取得し、その内容をＭＰ３ファイル再生装置の有する表示部に表示する。
【００１６】
ＩＤ３ＴａｇＶｅｒ１やＩＤ３ＴａｇＶｅｒ２の内容を表示した後、ユーザによって指定されたＭＰ３ファイルの先頭のアドレスを再びサーチし、音楽データの再生（演奏）を開始する（ステップＳ２８０）。
【００１７】
また、ＭＰ３ファイル再生装置がＭＰ３ファイルにＩＤ３ＴａｇＶｅｒ１やＩＤ３ＴａｇＶｅｒ２が含まれていないと判断した場合や（ステップＳ２６０、Ｎｏ）、ステップＳ２１０においてＭＰ３ファイル再生装置がＩＤ３Ｔａｇの取得モードがＯＮでないと判断した場合、ＩＤ３ＴａｇＶｅｒ１やＩＤ３ＴａｇＶｅｒ２の取得処理や表示処理を行なうことなく、ユーザによって指定されたＭＰ３ファイルの先頭のアドレスをサーチし、音楽データの再生を開始する（ステップＳ２８０）。
【００１８】
【特許文献１】特開２００２−２４５７２０号公報
【特許文献２】特開２００３−１４１８５５号公報
【発明の開示】
【発明が解決しようとする課題】
【００１９】
特許文献１に記載のオーディオ再生装置では、ＩＤ３Ｔａｇ等の読込みを指定しなければＭＰ３ファイルの再生指示から読込みまでの時間を短縮することができるが、ＩＤ３Ｔａｇの情報をオーディオ再生装置に表示することができなくなってしまうという問題点があった。
【００２０】
また、特許文献２に記載されているように、従来からＭＰ３ファイルは２つの付加情報（ＩＤ３ＴａｇＶｅｒ１とＩＤ３ＴａｇＶｅｒ２）を有することができたが、特許文献１に記載のオーディオ再生装置では付加情報を取得して表示する優先度などを任意に設定することができなかった。このため、ＩＤ３ＴａｇＶｅｒ１とＩＤ３ＴａｇＶｅｒ２のどちらを表示させるかが予め設定された再生装置では、ＭＰ３ファイル毎にユーザ所望の付加情報を取得して表示させることができないといった問題があった。
【００２１】
本発明が解決しようとする課題には、ＭＰ３ファイルなどの圧縮データファイルに複数種類の付加情報が含まれる場合に、圧縮データファイルの再生装置毎に予め決められた種類の付加情報が優先的に表示され、ユーザが望む種類の付加情報を表示できない場合が生じるといった問題が一例として挙げられる。
【課題を解決するための手段】
【００２２】
上述した課題を解決し、目的を達成するために、請求項１に記載の発明は、圧縮データと、該圧縮データに付加される複数の付加情報とを有する圧縮データファイルを読込んで、前記付加情報を表示するとともに前記圧縮データの再生処理を行う情報再生装置において、前記複数の付加情報毎に表示の優先度を設定する設定部と、前記設定部により設定された表示の優先度に基づいて、前記付加情報の検索および取得を行なう読込み部と、を備えることを特徴とする。
【００２３】
請求項３に記載の発明は、圧縮データと、該圧縮データに付加される複数の付加情報とを有する圧縮データファイルを読込んで、前記付加情報を表示するとともに前記圧縮データの再生処理を行う情報再生装置において、表示させる前記付加情報を指定する指定情報が入力される入力部と、指定情報が指定する前記付加情報のみの検索および取得を行う読込み部と、を備えることを特徴とする。
【００２４】
また、請求項８に記載の発明は、圧縮データと、該圧縮データに付加される複数の付加情報とを有する圧縮データファイルの前記付加情報を表示する情報表示方法において、
前記複数の付加情報毎に表示の優先度を設定する設定ステップと、前記設定ステップにおいて設定された優先度に基づいて、前記付加情報の検索および取得を行なう情報読込みステップと、前記圧縮データの再生処理を行う再生ステップと、を含むことを特徴とする。  
【００２５】
請求項９に記載の発明は、圧縮データと、該圧縮データに付加される複数の付加情報とを有する圧縮データファイルの前記付加情報を表示する情報表示方法において、表示させる前記付加情報を指定する指定情報が入力される入力ステップと、前記入力ステップにおいて入力された指定情報が指定する前記付加情報のみの検索および取得を行う読込みステップと、前記圧縮データの再生処理を行う再生ステップと、を含むことを特徴とする。
【００２６】
請求項１０に記載の発明は、請求項８または９に記載された方法をコンピュータに実行させるためのプログラム。
【発明を実施するための最良の形態】
【００２７】
以下に添付図面を参照して、本発明にかかる情報再生装置の好適な実施の形態を詳細に説明する。なお、以下では、本発明の概略と特徴を実施の形態として説明し、その後に実施の形態にかかる実施例を説明する。また、本発明がこれらの実施の形態や実施例により限定されるものではない。
【００２８】
［実施の形態］
本発明の情報再生装置は、圧縮データファイルの圧縮データを再生するとともに圧縮データファイルの付加情報を表示する。この情報再生装置は、音楽データや映像データなどを圧縮した圧縮データの所定の位置に、圧縮したデータの内容に関係する情報などを格納するための付加情報が付加された圧縮データファイルについて適用することができる。
【００２９】
付加情報としては、例えば圧縮データの先頭に付加するものと圧縮データの末尾に付加するものがある。すなわち、圧縮データファイルとしては圧縮データの先頭にのみ付加情報が付加された圧縮データファイル、圧縮データの末尾にのみ付加情報が付加された圧縮データファイル、圧縮データの先頭と末尾の両方に付加情報が付加された圧縮データファイル、付加情報が付加されていない圧縮データファイルがある。
【００３０】
そして、情報再生装置は圧縮データの先頭に付加された付加情報または圧縮データの末尾に付加された付加情報のいずれかを復号化して表示するとともに、圧縮データを復号化して圧縮データに応じた処理（再生等）を行なう。このとき、情報再生装置は予め決められた設定に基づいて、圧縮データの先頭に付加された付加情報または圧縮データの末尾に付加された付加情報を読込んでこれらの付加情報を表示する。
【００３１】
圧縮データの先頭に付加する付加情報と圧縮データの末尾に付加する付加情報には異なる情報が含まれており、圧縮データファイル毎にユーザ（情報再生装置の使用者）が表示させたい付加情報が異なる場合がある。また、圧縮データに付加される付加情報の位置は圧縮データファイル毎に異なる場合がある。
【００３２】
したがって、本実施の形態においては、情報再生装置に対し圧縮データの先頭に付加された付加情報または圧縮データの末尾に付加された付加情報のいずれを表示させるか（表示の優先度）を予めユーザからの入力によって設定しておき、情報再生装置はこの設定に基づいてユーザ所望の付加情報をサーチし表示させる。
【００３３】
このため、情報再生装置は、圧縮データの先頭に付加された付加情報または圧縮データの末尾に付加された付加情報のいずれを表示させるかを決定するための切替手段（設定部）を備えて構成される。圧縮データの先頭に付加された付加情報または圧縮データの末尾に付加された付加情報のいずれを表示させるかをユーザによって切替手段に設定した後、情報再生装置はこの設定に基づいて圧縮データファイルから付加情報を読み込み、付加情報を復号化して表示する。この後、情報再生装置は圧縮データ読み込み、復号化して再生等の所定の処理を行なう。
【００３４】
このように実施の形態によれば、情報再生装置がどの位置の付加情報を読み込むかの切替手段を備えているので、種々の圧縮データファイルに対してユーザ所望の付加情報を圧縮データファイル毎に表示させるよう設定することが可能となり、情報再生装置は圧縮データファイル毎にユーザ所望の付加情報を表示させることが可能となる。
【００３５】
また、圧縮データの先頭に付加情報が付加されていない場合や、圧縮データの末尾に付加情報が付加されていない場合は、これらの付加情報を読み込む必要はないため、予めこれらの付加情報を読み込まないよう切替手段を設定することによって無駄な付加情報の読み込み処理を省くことが可能となる。したがって、圧縮データの再生処理等を迅速に行なうことが可能となる。
【実施例１】
【００３６】
この実施例１では、圧縮データがＭＰ３方式で圧縮された音楽データであるＭＰ３ファイルを例に挙げて情報再生装置を説明する。また、圧縮データファイルであるＭＰ３ファイルの再生を行なう情報再生装置（圧縮データ再生装置）として、ＭＰ３ファイルを再生するＭＰ３ファイル再生装置が使用されるものとする。また、図２に示されるように、音楽データの末尾に付加された付加情報が１２８バイトの固定長を有するＩＤ３ＴａｇＶｅｒ１であり、音楽データの先頭に付加された付加情報がＩＤ３ＴａｇＶｅｒ２である場合について説明する。
【００３７】
図４は、本発明の実施例１に係るＭＰ３ファイル再生装置の構成の一例を模式的に示すブロック図である。このＭＰ３ファイル再生装置１０は、ＭＰ３ファイルのＩＤ３ＴａｇＶｅｒ１やＩＤ３ＴａｇＶｅｒ２（付加情報）を検索する検索部１１、付加情報を取得する取得部１２、音楽データを記録している記録部１３、付加情報の取得に関する情報等を入力する入力部１４、取得する付加情報の切替を行なう切替部（設定部）１５、付加情報の表示を行なう表示部１６、音楽データ等の出力を行なう出力部１７、音楽データファイルの復号を行なう復号部１８、これらの各処理部の制御を行うシステム制御部２０を有して構成される。
【００３８】
入力部１４は、キーボードや再生、停止、カーソルなどの各種キーなどによって構成されユーザによる指示の入力処理を行う。入力部１４へは、ＩＤ３ＴａｇＶｅｒ１とＩＤ３ＴａｇＶｅｒ２のいずれを優先的に取得して表示させるかの指示情報や、再生を行なうＭＰ３ファイルの指定情報などが入力される。
【００３９】
記録部１３は、ＣＤ（Compact Disc）やＤＶＤ（Digital Versatile DiscまたはDigital Video Disc）などの光記録媒体、ＭＤ（Mini Disc）などの光磁気記録媒体、ハードディスクなどの磁気記録媒体などの記録媒体と接続し、これらの記録媒体にアクセスする。これらの記録媒体には、音楽データや付加情報等からなるＭＰ３ファイルが記録されている。
【００４０】
切替部１５は、ＩＤ３Ｔａｇを取得して表示させるか否かの設定を切り替える。切替部１５のＩＤ３Ｔａｇの取得モードをＯＮに設定した場合、ＭＰ３ファイルを再生する際にＭＰ３ファイルからＩＤ３ＴａｇＶｅｒ１やＩＤ３ＴａｇＶｅｒ２が取得される。切替部１５は、ＩＤ３Ｔａｇの取得モードがＯＮに設定されている場合、入力部１４に入力されたＩＤ３ＴａｇＶｅｒ１とＩＤ３ＴａｇＶｅｒ２のいずれを優先的に取得して表示させるかの指示情報等に基づいて、記録部１３の記録媒体に記録されたＭＰ３ファイルからＩＤ３ＴａｇＶｅｒ１とＩＤ３ＴａｇＶｅｒ２のいずれの付加情報を優先的に取得して表示させるかの設定（以下、表示設定という）を切り替える。表示設定としては、例えばＩＤ３ＴａｇＶｅｒ１とＩＤ３ＴａｇＶｅｒ２のいずれか一方を優先的に取得して表示させ、表示設定されたＩＤ３Ｔａｇが取得できなかった場合に、他方の（表示設定されていない）ＩＤ３Ｔａｇを取得処理させるよう設定する。
【００４１】
検索部１１は、ＭＰ３ファイルの再生処理を行う際、切替部１５の表示設定に基づいて、ＩＤ３ＴａｇＶｅｒ１またはＩＤ３ＴａｇＶｅｒ２をＭＰ３ファイルから検索する。検索部１１は、ＩＤ３ＴａｇＶｅｒ１を検索する場合は、音楽データの末尾（音楽データの後方）を検索し、ＩＤ３ＴａｇＶｅｒ２を検索する場合は、音楽データの先頭（音楽データの前方）を検索する。例えば、ＭＰ３ファイルの先頭アドレスやサイズに基づいてＩＤ３ＴａｇＶｅｒ１やＩＤ３ＴａｇＶｅｒ２を検索する。
【００４２】
取得部１２は、検索部１１によって検索されたＩＤ３ＴａｇＶｅｒ１またはＩＤ３ＴａｇＶｅｒ２のいずれかを取得し、復号部１８に送信する。このように、検索部１１によるＭＰ３ファイル内の付加情報の検索と取得部１２による付加情報の取得によってＭＰ３ファイル内の付加情報の読込みが行なわれる。検索部１１および取得部１２が特許請求の範囲に記載の読み込み部に対応する。復号部１８は、取得部１２で読込まれた（取得された）ＭＰ３ファイルの音楽データや付加情報を復号化する。
【００４３】
表示部１６は、ＬＣＤ（Liquid Crystal Display）などの表示装置を含んで構成され所定の表示処理を行う。表示部１６は、ＩＤ３ＴａｇＶｅｒ１やＩＤ３ＴａｇＶｅｒ２のデータ領域に記録された文字データ（テキスト情報）の内容を表示する。ＩＤ３ＴａｇＶｅｒ１やＩＤ３ＴａｇＶｅｒ２の内容としては例えば、曲名、アーティスト名、アルバム名、曲のジャンル、歌詞、アルバムジャケットの画像などが含まれる。出力部１７は、復号部１８で復号化された音楽データのデジタル／アナログ変換や増幅処理を行なって音声信号として出力する。
【００４４】
システム制御部２０は、ＣＰＵ（Central Processing Unit）２１、ＲＯＭ（Read Only Memory）２２、ＲＡＭ（Random Access Memory）２３を含んで構成され、ＣＰＵ２１が、ユーザによる入力部１４からの入力によって、ＲＯＭ２２に格納されるＭＰ３ファイル再生装置用の各種制御プログラムやアプリケーションプログラムなどを読み出してＲＡＭ２３内のプログラム格納領域に展開して各種処理を実行し、この処理に際して生じる各種データをＲＡＭ２３内に形成されるデータ格納領域に一時的に記憶して、ＭＰ３ファイル再生装置の各処理部を制御する機能を有する。なお、ＭＰ３ファイルのＩＤ３Ｔａｇの読込処理は、ＩＤ３Ｔａｇ読込用プログラムをシステム制御部２０が実行することによって行なわれる。
【００４５】
つぎに、ＭＰ３ファイル再生装置１０の動作手順について説明する。図５は、ＭＰ３再生装置の動作手順を示すフローチャートである。ＭＰ３ファイル再生装置１０のユーザは、予めＭＰ３ファイルのＩＤ３Ｔａｇの取得モードをＯＮにするか否かの指示情報を入力部１４から入力しておく。切替部１５は指示情報に応じたＩＤ３Ｔａｇの取得モードの設定を行なう。
【００４６】
ＭＰ３ファイルを再生させるため、ユーザによってユーザ所望のＭＰ３ファイルの再生指示が入力部１４に入力される（ＭＰ３  ＰＬＡＹ）（ステップＳ３００）。ＭＰ３ファイルの再生指示が入力部１４に入力されると、システム制御部２０は切替部１５に設定されているＩＤ３Ｔａｇの取得モードがＯＮであるか否かを確認する（ステップＳ３０５）。
【００４７】
システム制御部２０が切替部１５のＩＤ３Ｔａｇの取得モードがＯＮであると判断すると（ステップＳ３０５、Ｙｅｓ）、切替部１５の表示設定を確認する（ステップＳ３１０）。このとき、ユーザはＭＰ３ファイルのＩＤ３ＴａｇＶｅｒ１とＩＤ３ＴａｇＶｅｒ２のいずれを優先的に表示させるかの表示設定指示情報（優先ＩＤ３Ｔａｇ）を入力部１４から入力する。入力部１４に入力されたこれらの指示情報は切替部１５に送られ、切替部１５は指示情報に応じた表示設定を行なう。システム制御部２０が切替部１５のＩＤ３Ｔａｇの取得モードがＯＮであると判断した際に、ユーザに対し表示設定指示情報を入力するよう表示部１６にメッセージなどを表示させてもよい。
【００４８】
切替部１５に設定された表示設定がＩＤ３ＴａｇＶｅｒ１を優先的に表示させる設定である場合（ステップＳ３１０、ＩＤ３ＴａｇＶｅｒ１）、システム制御部２０は記録媒体内のアクセス先となる指定されたＭＰ３ファイルのアドレスを記録部１３からサーチするとともに、ＩＤ３ＴａｇＶｅｒ１のアドレスをサーチ（検索）する（ステップＳ３２０）。検索部１１は、ＭＰ３ファイルを検索し、切替部１５に優先設定されているＩＤ３ＴａｇＶｅｒ１がＭＰ３ファイルに含まれているか否かを確認する（ステップＳ３３０）。
【００４９】
ＭＰ３ファイルが図２に示したＭＰ３ファイル１ｂやＭＰ３ファイル１ｄの構成をしている場合、検索部１１は切替部１５に優先設定されているＩＤ３ＴａｇＶｅｒ１がＭＰ３ファイルに含まれていることを確認することができる。ＭＰ３ファイルが図２に示したＭＰ３ファイル１ａやＭＰ３ファイル１ｃの構成をしている場合、検索部１１は切替部１５に優先設定されているＩＤ３ＴａｇＶｅｒ１をＭＰ３ファイルから確認できない。
【００５０】
検索部１１がＭＰ３ファイルにＩＤ３ＴａｇＶｅｒ１が含まれていると判断すると（ステップＳ３３０、Ｙｅｓ）、取得部１２がこのＩＤ３ＴａｇＶｅｒ１を取得し（ステップＳ３４０）、ＩＤ３ＴａｇＶｅｒ１のデータ領域に記録された文字データを復号部１８で復号して抽出（取得）し、その内容を表示部１６に表示する（ステップＳ３４５）。
【００５１】
一方、検索部１１がＭＰ３ファイルにＩＤ３ＴａｇＶｅｒ１が含まれていない（検索できない）と判断すると（ステップＳ３３０、Ｎｏ）、切替部１５に優先設定されているＩＤ３ＴａｇＶｅｒ１とは異なる種類のＩＤ３ＴａｇであるＩＤ３ＴａｇＶｅｒ２のアドレスをサーチする（ステップＳ３５０）。検索部１１は、ＭＰ３ファイルを検索し、ＩＤ３ＴａｇＶｅｒ２がＭＰ３ファイルに含まれているか否かを確認する（ステップＳ３６０）。
【００５２】
ＭＰ３ファイルが図２に示したＭＰ３ファイル１ｃの構成をしている場合、検索部１１はＭＰ３ファイルにＩＤ３ＴａｇＶｅｒ２が含まれていることを確認することができる。ＭＰ３ファイルが図２に示したＭＰ３ファイル１ａの構成をしている場合、検索部１１はＭＰ３ファイルからＩＤ３ＴａｇＶｅｒ１を確認することができない。
【００５３】
検索部１１がＭＰ３ファイルにＩＤ３ＴａｇＶｅｒ２が含まれていると判断すると（ステップＳ３６０、Ｙｅｓ）、取得部１２がこのＩＤ３ＴａｇＶｅｒ２を取得し（ステップＳ３７０）、ＩＤ３ＴａｇＶｅｒ２のデータ領域に記録された文字データを復号部１８で復号して抽出し、その内容を表示部１６に表示する（ステップＳ３４５）。
【００５４】
切替部１５に設定された表示設定がＩＤ３ＴａｇＶｅｒ２を優先的に表示させる設定である場合（ステップＳ３１０、ＩＤ３ＴａｇＶｅｒ２）、システム制御部２０は記録媒体内のアクセス先となる指定されたＭＰ３ファイルのアドレスを記録部１３からサーチするとともに、ＩＤ３ＴａｇＶｅｒ２のアドレスをサーチする（ステップＳ３８０）。検索部１１は、ＭＰ３ファイルを検索し、切替部１５に優先設定されているＩＤ３ＴａｇＶｅｒ２がＭＰ３ファイルに含まれているか否かを確認する（ステップＳ３９０）。
【００５５】
ＭＰ３ファイルが図２に示したＭＰ３ファイル１ｃやＭＰ３ファイル１ｄの構成をしている場合、検索部１１は切替部１５に優先設定されているＩＤ３ＴａｇＶｅｒ２がＭＰ３ファイルに含まれていることを確認することができる。
【００５６】
ＭＰ３ファイルが図２に示したＭＰ３ファイル１ａやＭＰ３ファイル１ｂの構成をしている場合、検索部１１は切替部１５に優先設定されているＩＤ３ＴａｇＶｅｒ１をＭＰ３ファイルから確認できない。
【００５７】
検索部１１がＭＰ３ファイルにＩＤ３ＴａｇＶｅｒ２が含まれていると判断すると（ステップＳ３９０、Ｙｅｓ）、取得部１２がこのＩＤ３ＴａｇＶｅｒ１を取得し（ステップＳ４００）、ＩＤ３ＴａｇＶｅｒ２のデータ領域に記録された文字データを復号部１８で復号して抽出し、その内容を表示部１６に表示する（ステップＳ３４５）。
【００５８】
一方、検索部１１がＭＰ３ファイルにＩＤ３ＴａｇＶｅｒ２が含まれていないと判断すると（ステップＳ３９０、Ｎｏ）、切替部１５に優先設定されているＩＤ３ＴａｇＶｅｒ２とは異なる種類のＩＤ３ＴａｇであるＩＤ３ＴａｇＶｅｒ１のアドレスをサーチする（ステップＳ４１０）。
【００５９】
検索部１１は、ＭＰ３ファイルを検索し、ＩＤ３ＴａｇＶｅｒ１がＭＰ３ファイルに含まれているか否かを確認する（ステップＳ４２０）。ＭＰ３ファイルが図２に示したＭＰ３ファイル１ｂの構成をしている場合、検索部１１はＭＰ３ファイルにＩＤ３ＴａｇＶｅｒ１が含まれていることを確認することができる。ＭＰ３ファイルが図２に示したＭＰ３ファイル１ａの構成をしている場合、検索部１１はＭＰ３ファイルからＩＤ３ＴａｇＶｅｒ１を確認することができない。
【００６０】
検索部１１がＭＰ３ファイルにＩＤ３ＴａｇＶｅｒ１が含まれていると判断すると（ステップＳ４３０、Ｙｅｓ）、取得部１２がこのＩＤ３ＴａｇＶｅｒ１を取得し（ステップＳ３７０）、ＩＤ３ＴａｇＶｅｒ１のデータ領域に記録された文字データを復号部１８で復号して抽出し、その内容を表示部１６に表示する（ステップＳ３４５）。
【００６１】
ＭＰ３ファイル再生装置がＭＰ３ファイルにＩＤ３ＴａｇＶｅｒ１やＩＤ３ＴａｇＶｅｒ２が含まれていないと判断した場合や（ステップＳ３６０、ＮｏまたはステップＳ４２０、Ｎｏ）、ステップＳ３０５においてＭＰ３ファイル再生装置がＩＤ３Ｔａｇの取得モードがＯＮでないと判断した場合、ＩＤ３ＴａｇＶｅｒ１やＩＤ３ＴａｇＶｅｒ２の取得処理や表示処理を行なうことなく、ユーザによって指定されたＭＰ３ファイルの先頭のアドレスをサーチし、音楽データの再生（演奏）を開始する（ステップＳ４５０）。
【００６２】
なお、システム制御部２０が切替部１５のＩＤ３Ｔａｇの取得モードがＯＮであると判断した際、切替部１５において既に表示設定が行なわれている場合はこの表示設定に基づいてＩＤ３ＴａｇＶｅｒ１やＩＤ３ＴａｇＶｅｒ２の取得処理、表示処理を行なってもよい。
【００６３】
なお、切替部１５への表示設定は複数の音楽データ（ＭＰ３ファイル）で構成されるアルバム毎に設定してもよいし、曲毎（音楽データ毎）に設定してもよい。曲の途中で切替部１５の表示設定が変更された場合は、次の曲から表示部１６に表示させる付加情報（ＩＤ３ＴａｇＶｅｒ１やＩＤ３ＴａｇＶｅｒ２）を切り替える。
【００６４】
なお、本実施例１においては、ＭＰ３ファイルにＩＤ３ＴａｇＶｅｒ１がない場合はＩＤ３ＴａｇＶｅｒ２を検索し、ＭＰ３ファイルにＩＤ３ＴａｇＶｅｒ２がない場合はＩＤ３ＴａｇＶｅｒ１を検索することとしたが、ＩＤ３ＴａｇＶｅｒ１またはＩＤ３ＴａｇＶｅｒ２のいずれか一方のみを検索し、他方を検索しない構成としてもよい。この場合、ユーザによって入力部１４に入力された、ＭＰ３ファイルのＩＤ３ＴａｇＶｅｒ１とＩＤ３ＴａｇＶｅｒ２のいずれを表示させるかの指示情報に基づいて、検索部１１はＩＤ３Ｔａｇの検索を行い、取得部１２はＩＤ３Ｔａｇの取得を行なう。これにより、ＭＰ３ファイルにＩＤ３ＴａｇＶｅｒ１およびＩＤ３ＴａｇＶｅｒ２の両方が存在していたとしても、指示情報に基づいてユーザが表示を所望したＩＤ３Ｔａｇのみを探索（検索）し、取得するので、指示情報に含まれなかったＩＤ３Ｔａｇの検索処理（読み込み）を省くことができる。また、ＩＤ３Ｔａｇの種類が３種類以上である場合、所定の種類のＩＤ３Ｔａｇのみを検索し、その他の種類のＩＤ３Ｔａｇを検索しない構成としてもよい。この場合、ユーザによって入力部１４に入力された、どの種類のＩＤ３Ｔａｇを表示させるかの指示情報に基づいて、検索部１１はＩＤ３Ｔａｇの検索を行い、取得部１２はＩＤ３Ｔａｇの取得を行なう。これにより、３種類以上のＩＤ３Ｔａｇが存在していたとしても、指示情報に基づいてユーザが表示を所望したＩＤ３Ｔａｇのみを探索し、取得するので、指示情報に含まれなかったＩＤ３Ｔａｇの検索処理を省くことができる。
【００６５】
このように実施例１によれば、ＭＰ３ファイル再生装置１０がＩＤ３ＴａｇＶｅｒ１とＩＤ３ＴａｇＶｅｒ２のいずれを読み込む（検索と取得）かを切り替える切替部１５を備えているので、種々のＭＰ３ファイル（ＭＰ３ファイル１ａ〜１ｄ）に対してユーザ所望のＩＤ３ＴａｇをＭＰ３ファイル毎に表示させるよう設定することが可能となる。したがって、ＭＰ３ファイル再生装置１０はＭＰ３ファイル毎にユーザ所望のＩＤ３Ｔａｇを表示させることが可能となる。
【００６６】
また、ＭＰ３ファイルの先頭にＩＤ３Ｔａｇが付加されていない場合や、ＭＰ３ファイルの末尾にＩＤ３Ｔａｇが付加されていない場合は、これらのＩＤ３Ｔａｇを読み込む必要はないため、予めこれらのＩＤ３Ｔａｇを読み込まないよう切替部１５を設定することによって無駄なＩＤ３Ｔａｇの読み込み処理を省くことが可能となる。したがって、ＭＰ３ファイルの再生処理等を迅速に行なうことが可能となる。
【実施例２】
【００６７】
図５および図６に従って実施例２について説明する。図６は、本発明の実施例２に係るＭＰ３ファイル再生装置の構成の一例を模式的に示すブロック図である。なお、図６に示す各構成要素のうち、図４に示す実施例１の各構成要素と同一の機能を達成する構成要素には同一番号を付している。本実施例２においては、ＭＰ３ファイルに対する表示設定の履歴に基づいて切替部１５の表示設定を切り替える。
【００６８】
ＭＰ３ファイル再生装置１０は、検索部１１、取得部１２、記録部１３、入力部１４、切替部１５、表示部１６、出力部１７、復号部１８、システム制御部２０に加えて、選択回数判断部３１、選択回数記憶部（履歴記憶部）３２を有して構成される。
【００６９】
選択回数記憶部３２は、ＭＰ３ファイルの曲毎の表示設定の履歴を記憶する。表示設定の履歴としては例えば、ＭＰ３ファイルを再生する際にＩＤ３ＴａｇＶｅｒ１とＩＤ３ＴａｇＶｅｒ２が選択されたそれぞれの回数を記憶する。
【００７０】
選択回数判断部３１は、ＩＤ３ＴａｇＶｅｒ１とＩＤ３ＴａｇＶｅｒ２のいずれを選択するかの選択基準と、選択回数記憶部３２に記憶しているＭＰ３ファイルの曲毎の表示設定履歴に基づいて、ＭＰ３ファイルの曲毎に表示させる付加情報の種類を決定（判断）する。例えば、表示設定履歴においてＩＤ３ＴａｇＶｅｒ１やＩＤ３ＴａｇＶｅｒ２が選択された回数が所定回数以上である場合や、ＩＤ３ＴａｇＶｅｒ１とＩＤ３ＴａｇＶｅｒ２のうち選択された回数が多い付加情報を優先的に表示させる優先ＩＤ３Ｔａｇと決定する。ここでは、選択回数判断部３１と切替部１５の処理が特許請求の範囲に記載の設定部に対応する。
【００７１】
つぎに、ＭＰ３ファイル再生装置１０の動作手順について説明する。ＭＰ３ファイル再生装置１０の動作は、実施例１で説明したＭＰ３ファイル再生装置１０の動作と同様の手順によって動作する。
【００７２】
選択回数記憶部３２は、ＭＰ３ファイルを再生する度にＭＰ３ファイルの曲毎の表示設定の履歴を記憶しておく。例えば、ＩＤ３ＴａｇＶｅｒ１とＩＤ３ＴａｇＶｅｒ２が選択された回数を記憶しておく。選択回数判断部３１には、ＩＤ３ＴａｇＶｅｒ１とＩＤ３ＴａｇＶｅｒ２のいずれを選択するかの選択基準を入力部１４を介して設定しておく。
【００７３】
選択回数判断部３１は、予め設定しておいた付加情報の選択基準と、選択回数記憶部３２に記憶しているＭＰ３ファイルの曲毎の表示設定履歴に基づいて、ＭＰ３ファイルの曲毎に表示させる付加情報の種類を決定（判断）する。例えば、ＭＰ３ファイルの表示設定履歴においてＩＤ３ＴａｇＶｅｒ１やＩＤ３ＴａｇＶｅｒ２が選択された回数が所定回数以上である場合にこの条件を満たした付加情報を表示させると判断する（優先ＩＤ３Ｔａｇと決定する）。切替部１５は、選択回数判断部３１によって判断された判断結果に基づいて、付加情報の表示設定を行なう。
【００７４】
また、ＭＰ３ファイル再生装置１０のユーザは、予めＭＰ３ファイルのＩＤ３Ｔａｇの取得モードをＯＮにするか否かの指示情報を入力部１４から入力しておく。切替部１５は指示情報に応じたＩＤ３Ｔａｇの取得モードの設定を行なう。
【００７５】
ＭＰ３ファイルを再生させるため、ユーザによってユーザ所望のＭＰ３ファイルの再生指示が入力部１４に入力される（ステップＳ３００）。ＭＰ３ファイルの再生指示が入力部１４に入力されると、システム制御部２０は切替部１５に設定されているＩＤ３Ｔａｇの取得モードがＯＮであるか否かを確認する（ステップＳ３０５）。
【００７６】
システム制御部２０が切替部１５のＩＤ３Ｔａｇの取得モードがＯＮであると判断すると（ステップＳ３０５、Ｙｅｓ）、切替部１５の表示設定を確認する（ステップＳ３１０）。
【００７７】
切替部１５に設定された表示設定がＩＤ３ＴａｇＶｅｒ１を優先的に表示させる設定である場合（ステップＳ３１０、ＩＤ３ＴａｇＶｅｒ１）、システム制御部２０は記録媒体内のアクセス先となる指定されたＭＰ３ファイルのアドレスを記録部１３からサーチするとともに、ＩＤ３ＴａｇＶｅｒ１のアドレスをサーチする（ステップＳ３２０）。以下、実施例１と同様の動作手順によってＭＰ３ファイルの表示処理と再生処理を行なう。すなわち、検索部１１は、切替部１５に優先設定されているＩＤ３ＴａｇＶｅｒ１がＭＰ３ファイルに含まれているか否かの確認を行なう（ステップＳ３３０）。
【００７８】
検索部１１がＭＰ３ファイルにＩＤ３ＴａｇＶｅｒ１が含まれていると判断すると（ステップＳ３３０、Ｙｅｓ）、取得部１２がこのＩＤ３ＴａｇＶｅｒ１を取得し（ステップＳ３４０）、その内容を表示部１６に表示する（ステップＳ３４５）。
【００７９】
一方、検索部１１がＭＰ３ファイルにＩＤ３ＴａｇＶｅｒ１が含まれていないと判断すると（ステップＳ３３０、Ｎｏ）、ＩＤ３ＴａｇＶｅｒ２のアドレスをサーチする（ステップＳ３５０）。
【００８０】
検索部１１は、ＭＰ３ファイルを検索し、ＩＤ３ＴａｇＶｅｒ２がＭＰ３ファイルに含まれているか否かを確認する（ステップＳ３６０）。検索部１１がＭＰ３ファイルにＩＤ３ＴａｇＶｅｒ２が含まれていると判断すると（ステップＳ３６０、Ｙｅｓ）、取得部１２がこのＩＤ３ＴａｇＶｅｒ２を取得し（ステップＳ３７０）、その内容を表示部１６に表示する（ステップＳ３４５）。
【００８１】
切替部１５に設定された表示設定がＩＤ３ＴａｇＶｅｒ２を優先的に表示させる設定である場合（ステップＳ３１０、ＩＤ３ＴａｇＶｅｒ２）、システム制御部２０は記録媒体内のアクセス先となる指定されたＭＰ３ファイルのアドレスを記録部１３からサーチするとともに、ＩＤ３ＴａｇＶｅｒ２のアドレスをサーチする（ステップＳ３８０）。
【００８２】
検索部１１は、切替部１５に優先設定されているＩＤ３ＴａｇＶｅｒ２がＭＰ３ファイルに含まれているか否かの確認を行なう（ステップＳ３９０）。検索部１１がＭＰ３ファイルにＩＤ３ＴａｇＶｅｒ２が含まれていると判断すると（ステップＳ３９０、Ｙｅｓ）、取得部１２がこのＩＤ３ＴａｇＶｅｒ２を取得し（ステップＳ４００）、その内容を表示部１６に表示する（ステップＳ３４５）。
【００８３】
一方、検索部１１がＭＰ３ファイルにＩＤ３ＴａｇＶｅｒ２が含まれていないと判断すると（ステップＳ３９０、Ｎｏ）、ＩＤ３ＴａｇＶｅｒ１のアドレスをサーチする（ステップＳ３５０）。
【００８４】
検索部１１は、ＭＰ３ファイルを検索し、ＩＤ３ＴａｇＶｅｒ１がＭＰ３ファイルに含まれているか否かを確認する（ステップＳ４２０）。検索部１１がＭＰ３ファイルにＩＤ３ＴａｇＶｅｒ１が含まれていると判断すると（ステップＳ４２０、Ｙｅｓ）、取得部１２がこのＩＤ３ＴａｇＶｅｒ１を取得し（ステップＳ４３０）、その内容を表示部１６に表示する（ステップＳ３４５）。
【００８５】
ＭＰ３ファイル再生装置がＭＰ３ファイルにＩＤ３ＴａｇＶｅｒ１やＩＤ３ＴａｇＶｅｒ２が含まれていないと判断した場合や（ステップＳ３６０、ＮｏまたはステップＳ４２０、Ｎｏ）、ステップＳ３０５においてＭＰ３ファイル再生装置がＩＤ３Ｔａｇの取得モードがＯＮでないと判断した場合、ＩＤ３ＴａｇＶｅｒ１やＩＤ３ＴａｇＶｅｒ２の取得処理や表示処理を行なうことなく、ユーザによって指定されたＭＰ３ファイルの先頭のアドレスをサーチし、音楽データの再生を開始する（ステップＳ４５０）。
【００８６】
なお、切替部１５への表示設定において、再生中のアルバム内での表示設定の履歴に基づいて表示設定を変更してもよい。例えば、再生中のアルバム（フォルダ）において、所定数の曲が同一種類の付加情報（例えばＩＤ３ＴａｇＶｅｒ１）を表示するよう設定された状態で音楽データが再生されている場合、以後、このアルバムに対しては切替部１５への表示設定をＩＤ３ＴａｇＶｅｒ１とし、ＩＤ３ＴａｇＶｅｒ２の読み込み処理を行なわないで再生処理を行なう。これにより、付加情報の表示処理を迅速に行なうことが可能となる。
【００８７】
なお、切替部１５への表示設定は曲毎に設定する場合に限られず、複数の音楽データで構成されるアルバム毎に設定してもよい。アルバム毎に切替部１５の表示設定をする場合、選択回数記憶部３２は、ＭＰ３ファイルからなるアルバムを再生する度にアルバム毎の表示設定履歴を記憶しておく。選択回数判断部３１には、ＩＤ３ＴａｇＶｅｒ１とＩＤ３ＴａｇＶｅｒ２のいずれを選択するかの選択基準をアルバムとしての選択基準として設定しておく。
【００８８】
このように実施例２によれば、選択回数判断部３１は、選択回数記憶部３２に記憶しているＭＰ３ファイルの曲毎の表示設定履歴に基づいて、ＭＰ３ファイルの曲毎に表示させる付加情報の種類を決定するので、ＭＰ３ファイルの曲毎に切替部１５への表示設定を行なう必要がなく、付加情報の表示処理を迅速に行なうことが可能となる。
【図面の簡単な説明】
【００８９】
【図１】従来のＩＤ３Ｔａｇの読込みの処理手順を示すフローチャート（１）である。
【図２】ＭＰ３ファイルの構成を模式的に示す図である。
【図３】従来のＩＤ３Ｔａｇの読込みの処理手順を示すフローチャート（２）である。
【図４】本発明の実施例１に係るＭＰ３ファイル再生装置の構成を示すブロック図である。
【図５】ＭＰ３再生装置の動作手順を示すフローチャートである。
【図６】本発明の実施例２に係るＭＰ３ファイル再生装置の構成を示すブロック図である。
【符号の説明】
【００９０】
１ａ〜１ｄ  ＭＰ３ファイル
２  音楽データ
１０  ＭＰ３ファイル再生装置
１１  検索部
１２  取得部
１３  記録部
１４  入力部
１５  切替部
１６  表示部
１７  出力部
１８  復号部
２０  システム制御部
３１  選択回数判断部
３２  選択回数記憶部
【図１】
2005346747.tif 000003
【図２】
2005346747.tif 000004
【図３】
2005346747.tif 000005
【図４】
2005346747.tif 000006
【図５】
2005346747.tif 000007
【図６】
2005346747.tif 000008